(57)【特許請求の範囲】
【請求項１】
中央に雌ネジ部（1c）を設けた球状凹面（1b）を両端に形成した湾曲形状をなすコーナー金具（１）と、一端に球状凸面（2a）を形成すると共に球状凸面（2a）の中央に連結用ネジ（３）を挿通する連結用ネジ挿通穴（2b）を形成し、他端に手摺棒連結部（2e）を形成した手摺棒連結金具（２）を２つ有し、コーナー金具（１）の両端の球状凹面（1b）にそれぞれ手摺棒連結金具（２）の球状凸面（2a）を嵌入し、前記連結用ネジ挿通穴（2b）を挿通する連結用ネジ（３）でコーナー金具（１）と手摺棒連結金具（２）とを角度変更可能に取り付け、前記手摺棒連結金具（２）にコーナー金具（１）の端部を、隙間を設けて覆い隠す環状覆い部（2d）を設けてあることを特徴とする階段手摺の継手。
【請求項２】
上記環状覆い部（2d）は、手摺棒（４）の端部を覆い隠す部分を設けてあることを特徴とする請求項１記載の階段手摺の継手。
【請求項３】
手摺棒連結金具（２）の球状凸面（2a）の内側面に、球状凸面（2a）の中央先端を中心とする曲面となった盛り上がり部（2c）を形成したことを特徴とする請求項１記載の階段手摺の継手。
【発明の詳細な説明】
【発明の属する技術分野】
この発明は、建物の階段に取り付けられた手摺棒の継手に関し、特に階段の始まり部分と終わり部分の手摺が折れ曲がるところ、すなわち手摺の勾配角度が変わるところ、に使用される継手に関するものである。
【従来の技術】
一戸建住宅を除く建物の階段の種類は、建築基準法の規格により主に４種類に定められており、その勾配角度θは略２０°〜５０°の間となっている。
そして、従来の階段手摺の手摺棒が折れ曲がるところには、手摺棒を勾配角度に合わせて折り曲げて使用したり、勾配角度に合わせて各種用意された湾曲形状をした継手を使用していた。
そのため、手摺棒を折り曲げる手間や継手部品の種類が多くなるという問題点があった。
さらに、階段の勾配角度は施工時の都合で設計した角度と微妙に異なる場合があり、その場合には継手部分に隙間が生じ、外観が悪くなるだけでなく、手摺棒の鋭利な切り口が露出するという問題点があった。
【発明が解決しようとする課題】
そこで、この発明では、上記問題点を解決し、階段の勾配角度が２０°〜５０°の間のいずれの角度であっても、また勾配角度に多少の狂いがあっても階段の勾配角度に合わせて使用可能な階段手摺の継手を提供することを目的とする。さらに、手摺棒との接続部の外観が良く、しかも安全な階段手摺の継手を提供することを目的とする。
【課題を解決するための手段】
そこでこの発明では、中央に雌ネジ部1cを設けた球状凹面1bを両端に形成した湾曲形状をなすコーナー金具１と、一端に球状凸面2aを形成すると共に球状凸面2aの中央に連結用ネジ３を挿通する連結用ネジ挿通穴2bを形成し、他端に手摺棒連結部2eを形成した手摺棒連結金具２を２つ有し、コーナー金具１の両端の球状凹面1bにそれぞれ手摺棒連結金具２の球状凸面2aを嵌入し、前記連結用ネジ挿通穴2bを挿通する連結用ネジ３でコーナー金具１と手摺棒連結金具２とを角度変更可能に取り付け、前記手摺棒連結金具２にコーナー金具１の端部を、隙間を設けて覆い隠す環状覆い部2dを設けてあることを特徴とする階段手摺の継手とした。
前記の構成とすれば、一種類の継手により、階段手摺の継手を階段の勾配角度に合わせることができる。
上記環状覆い部2dは、手摺棒４の端部を覆い隠す部分を設けてあることが好ましい。
このようにすれば、手摺棒４の端部が環状覆い部2dにより覆い隠されるようになる。
前記手摺棒連結金具２の球状凸面2aの内側面に、球状凸面2aの中央先端を中心とする曲面となった盛り上がり部2cを形成することが好ましい。
このようにすれば、施工時にコーナー金具１に手摺棒連結金具２を連結用ネジ３で取り付けた後で角度を微調整しても、球状凸面2aの中央先端からの距離が変わらないので、連結用ネジ３が緩むことがない。
【発明の実施の形態】
以下、この発明の階段手摺の継手の実施の形態を図１〜図４の図面に従って説明する。
尚、図１はこの発明の継手を使用した階段手摺の正面図、図２は分解斜視図、図３及び図４はこの発明の継手を勾配角度の異なる階段に適用した場合の例である。
この発明の階段手摺の継手は、湾曲形状をなしたコーナー金具１と、コーナー金具１の両端に取り付けられた２つの手摺棒連結金具２，２とからなり、これらはそれぞれ連結用ネジ３，３で連結されている。そして、手摺棒連結金具２のコーナー金具１と反対側の部分にはパイプ状に形成された手摺棒４が取り付けられるようになっている。
さらに詳細に説明すると、コーナー金具１は、円柱棒を１４５°の角度で湾曲させた形状をしており、両端には浅い円筒部分1aを形成し、その奥に前記円筒部分1aよりも径の少し小さい球状凹面1bを形成している。さらに、球状凹面1bの中心部分には連結用ネジ３と螺合する雌ネジ部1cを形成している。
手摺棒連結金具２は、コーナー金具１の球状凹面1bに嵌入する球状凸面2aを先端に形成した円筒形状をしており、その径は手摺棒４に内嵌する大きさとなっている。球状凸面2aの先端には連結用ネジ３を挿通する縦長の連結用ネジ挿通穴2bを形成している。球状凸面2aの内側面には、球状凸面2aの中央先端を中心とする曲面となった盛り上がり部2cを形成しており、連結用ネジ３を締め付けてから取付角度を微調整しても連結用ネジ３が緩まないようになっている。この盛り上がり部2cの形状は、具体的には、球面でも樽形曲面でも円柱曲面でも良い。さらに、球状凸面2aの横には、両側に円形溝を形成し、前記溝内にコーナー金具１の端部と手摺棒４の端部を嵌入して覆い隠す環状覆い部2dを一体に形成して設けている。さらに、環状覆い部2dより手摺棒４側の部分は、手摺棒４に内嵌する手摺棒連結部2eとなっている。
以上の構成からなるこの発明の階段手摺の継手は、コーナー金具１の両端の球状凹面1bにそれぞれ手摺棒連結金具２の球状凸面2aを嵌入し、連結用ネジ挿通穴2bを挿通する連結用ネジ３を雌ネジ部1cに螺合させて組み立てられる。
この発明の階段手摺の継手を手摺棒４に取り付けるには、手摺棒連結金具２の手摺棒連結部2eを手摺棒４の先端が環状覆い部2dで覆われる位置まで突っ込み、その状態のままで手摺棒４と共に手摺棒連結部2eにドリルで穴を明け、止めネジ５で止める。
図３は、コーナー金具１の両側の手摺棒連結金具２を相反する方向に曲げたときの状態であり、このとき２本の手摺棒４の開き角度が１６０°となり、勾配角度が２０°となった階段に適用されるようになっている。
図４は、コーナー金具１の両側の手摺棒連結金具２を向かい合う方向に曲げたときの状態であり、このとき２本の手摺棒４の開き角度が１３０°となり、勾配角度が５０°となった階段に適用されるようになっている。
このように、この発明の階段手摺の継手は、勾配角度が２０°〜５０°の間である階段に適用でき、継手が一種類になる。
また、手摺取り付け状態においては、手摺棒４の端部の鋭利な切り口が環状覆い部2dにより覆われているので、安全となる。さらに、環状覆い部2dが手摺棒４の径より大きく、環状覆い部2dの段差により階段の変化を予知できるので、停電等の真っ暗になったときでも安全に階段を昇降できるという効果がある。
【発明の効果】
この発明では、上述のとおり、コーナー金具１と手摺棒連結金具２とが角度変更可能であり、階段手摺の継手を階段の勾配角度に合わせて調整できるので、階段手摺の継手を何種類も準備する必要がなく、在庫する継手の種類が少なくなる。
前記手摺棒連結金具２の球状凸面2aの内側面に、球状凸面2aの中央先端を中心とする曲面となった盛り上がり部2cを形成すれば、施工時にコーナー金具１に手摺棒連結金具２を連結用ネジ３で取り付けた後で角度を微調整しても連結用ネジ３が緩むことがないので、使いやすいものとなる。
前記手摺棒連結金具２にコーナー金具１の端部と手摺棒４の端部を覆い隠す環状覆い部2dを設ければ、コーナー金具１の端部と手摺棒４の端部が環状覆い部2dにより覆い隠されるようになるので、外観が良いだけでなく、手摺棒の鋭利な切り口が露出しなくなり、安全なものになる。
【図面の簡単な説明】
【図１】この発明の継手を使用した階段手摺の正面図。
【図２】この発明の継手を使用した階段手摺の分解斜視図。
【図３】この発明の継手を勾配が２０°となった階段に適用した場合の例を示す断面図。
【図４】この発明の継手を勾配が５０°となった階段に適用した場合の例を示す断面図。
【符号の説明】
１    コーナー金具
1b    球状凹面
1c    雌ネジ部
２    手摺棒連結金具
2a    球状凸部
2b    連結用ネジ挿通穴
2c    盛り上がり部
2d    環状覆い部
2e    手摺棒連結部
３    連結用ネジ
【図１】
0004117639.tif 000002
【図２】
0004117639.tif 000003
【図３】
0004117639.tif 000004
【図４】
0004117639.tif 000005